(57)【特許請求の範囲】
【請求項１】
外装体と、前記外装体の内面に内装体を固定した使い捨ておむつにおいて、
前記内装体を、身体面側に設けられた液透過性の表面シートと、反身体側に設けられた液不透過性シートと、前記表面シートと液不透過性シートの間に設けられた吸収体で形成し、
内面平面視において、前記吸収体は、前記吸収体の背側部に位置する第１吸収体部と、前記吸収体の腹側部に位置する第２吸収体部と、前記第１吸収体部と第２吸収体部の間の幅方向の一側に位置する第３吸収体部と、前記第１吸収体部と第２吸収体部の間の幅方向の他側に位置する第４吸収体部に区画され、
前記第１吸収体部と外装体を固定し、前記第２吸収体部と外装体を固定し、前記第３吸収体部と外装体を非固定とし、前記第４吸収体部と外装体を非固定とし、
前記第１吸収体部を、略逆三角形状に形成し、前記第１吸収体部の底辺を、前記吸収体の背側端部に位置させ、前記第１吸収体部の頂部を、前記吸収体の幅方向の中心部で、且つ、前記吸収体における前記外装体を前後方向に４分割する背側から１番目の第１仮想線上に位置させ、
前記第２吸収体部を、略長方形状に形成し、前記第２吸収体部の腹側の辺を、前記吸収体の腹側端部に位置させ、前記第２吸収体部の背側の辺を、前記吸収体における前記外装体を前後方向に４分割する背側から２番目の第２仮想線上に位置させ、
前記第１吸収体部と第３吸収体部の対向部位を第１区画線で分割し、前記第１吸収体部と第４吸収体部の対向部位を第２区画線で分割し、前記第３吸収体部と第４吸収体部の対向部位を第３区画線で分割し、
前記第１区画線と第２区画線と第３区画線を所定の間隔を有するスリット線とし、前記スリット線の幅を５〜２０ｍｍに形成したことを特徴とする使い捨ておむつ。
【請求項２】
前記第３吸収体部を、前記第１吸収体部に近接する略逆三角形状に形成された第３吸収体部後部と、前記第４吸収体部に近接する略長方形状に形成された第３吸収体部前部で形成し、前記第４吸収体部を、前記第１吸収体部に近接する略逆三角形状に形成された第４吸収体部後部と、前記第３吸収体部に近接する略長方形状に形成された第４吸収体部前部で形成した請求項１記載の使い捨ておむつ。
【発明の詳細な説明】
【技術分野】
【０００１】
本発明は、使い捨ておむつに関するものであり、特に、内装体の吸収体を複数の部位に区画して装着者の背側部からの排泄物の漏れ出しを防止した使い捨ておむつに関するものである。
【背景技術】
【０００２】
従来、装着者の股間部からの排泄物の漏れ出しを防止するために、内装体における装着者の股間部に対向する部位に、内装体の身体側面側から略Ｙ字形状の区画線を設ける手段が知られている。（特許文献１）
また、着用者の性別に応じて吸収体を３次元形状に変形させて排泄物の漏れ出しを防止するために、区画線によって内装体の吸収体を複数の部位に区画する手段が知られている。（特許文献２）
【先行技術文献】
【特許文献】
【０００３】
【特許文献１】特開２００８−１８３１６０号公報
【特許文献２】特開２００４−４９５０７号公報
【発明の概要】
【発明が解決しようとする課題】
【０００４】
しかし、特許文献１に開示された手段においては、装着者の股間部の近傍からの排泄物の漏れ出しを防止できるが、例えば、装着者の歩行時に変形する左右臀部と吸収体の背側部の間に隙間が発生して、装着者の背部から排泄物が外部に漏れ出す虞があった。
【０００５】
特許文献２に開示された手段においては、着用者の性別に応じて吸収体を３次元形状に変形させて着用者と吸収体のフィット性を向上させることができるが、着用者の略三角形上の仙骨と吸収体の背側部の形状が異なり装着者の背部と吸収体の背側部を十分に密着させることができず装着者の背部から排泄物が外部に漏れ出す虞があった。
【０００６】
そこで、本発明の主たる課題は、着用者の仙骨部に内装体の吸収体を密着させ、着用者の左右臀部の変形に追従して左右臀部に内装体の吸収体を密着させて、着用者の背部から排泄物の外部への漏れ出しを防止する使い捨ておむつを提供することにある。
【課題を解決するための手段】
【０００７】
上記課題を解決した本発明は次記のとおりである。
請求項１に係る発明は、  外装体と、前記外装体の内面に内装体を固定した使い捨ておむつにおいて、
前記内装体を、身体面側に設けられた液透過性の表面シートと、反身体側に設けられた液不透過性シートと、前記表面シートと液不透過性シートの間に設けられた吸収体で形成し、内面平面視において、前記吸収体は、前記吸収体の背側部に位置する第１吸収体部と、前記吸収体の腹側部に位置する第２吸収体部と、前記第１吸収体部と第２吸収体部の間の幅方向の一側に位置する第３吸収体部と、前記第１吸収体部と第２吸収体部の間の幅方向の他側に位置する第４吸収体部に区画され、前記第１吸収体部と外装体を固定し、前記第２吸収体部と外装体を固定し、前記第３吸収体部と外装体を非固定とし、前記第４吸収体部と外装体を非固定とし、前記第１吸収体部を、略逆三角形状に形成し、前記第１吸収体部の底辺を、前記吸収体の背側端部に位置させ、前記第１吸収体部の頂部を、前記吸収体の幅方向の中心部で、且つ、前記吸収体における前記外装体を前後方向に４分割する背側から１番目の第１仮想線上に位置させ、前記第２吸収体部を、略長方形状に形成し、前記第２吸収体部の腹側の辺を、前記吸収体の腹側端部に位置させ、前記第２吸収体部の背側の辺を、前記吸収体における前記外装体を前後方向に４分割する背側から２番目の第２仮想線上に位置させ、前記第１吸収体部と第３吸収体部の対向部位を第１区画線で分割し、前記第１吸収体部と第４吸収体部の対向部位を第２区画線で分割し、前記第３吸収体部と第４吸収体部の対向部位を第３区画線で分割し、前記第１区画線と第２区画線と第３区画線を所定の間隔を有するスリット線とし、前記スリット線の幅を５〜２０ｍｍに形成したことを特徴とする使い捨ておむつである。
【０００８】
【０００９】
請求項２に係る発明は、前記第３吸収体部を、前記第１吸収体部に近接する略逆三角形状に形成された第３吸収体部後部と、前記第４吸収体部に近接する略長方形状に形成された第３吸収体部前部で形成し、前記第４吸収体部を、前記第１吸収体部に近接する略逆三角形状に形成された第４吸収体部後部と、前記第３吸収体部に近接する略長方形状に形成された第４吸収体部前部で形成した請求項１記載の使い捨ておむつである。
【００１０】
【００１１】
【００１２】
【発明の効果】
【００１３】
請求項１記載の発明によれば、内装体を、身体面側に設けられた液透過性の表面シートと、反身体側に設けられた液不透過性シートと、表面シートと液不透過性シートの間に設けられた吸収体で形成し、内面平面視において、吸収体は、吸収体の背側部に位置する第１吸収体部と、吸収体の腹側部に位置する第２吸収体部と、第１吸収体部と第２吸収体部の間の幅方向の一側に位置する第３吸収体部と、第１吸収体部と第２吸収体部の間の幅方向の他側に位置する第４吸収体部に区画され、第１吸収体部と外装体を固定し、第２吸収体部と外装体を固定し、第３吸収体部と外装体を非固定とし、第４吸収体部と外装体を非固定とし、第１吸収体部を、略逆三角形状に形成し、第１吸収体部の底辺を、吸収体の背側端部に位置させ、第１吸収体部の頂部を、吸収体の幅方向の中心部で、且つ、吸収体における外装体を前後方向に４分割する背側から１番目の第１仮想線上に位置させ、第２吸収体部を、略長方形状に形成し、第２吸収体部の腹側の辺を、吸収体の腹側端部に位置させ、第２吸収体部の背側の辺を、吸収体における外装体を前後方向に４分割する背側から２番目の第２仮想線上に位置させ、第１吸収体部と第３吸収体部の対向部位を第１区画線で分割し、第１吸収体部と第４吸収体部の対向部位を第２区画線で分割し、第３吸収体部と第４吸収体部の対向部位を第３区画線で分割し、第１区画線と第２区画線と第３区画線を所定の間隔を有するスリット線とし、スリット線の幅を５〜２０ｍｍに形成したので、装着者の右臀部の変形に追従して第３吸収体部が変形して右臀部に第３吸収体部の内側部が当接し、装着者の左臀部の変形に追従して第４吸収体部が変形して左臀部に第４吸収体部の内側部が当接して装着者の背部から排泄物が外部に漏れ出すのを防止することができる。
【００１４】
装着者の仙骨部に第１吸収体部を密着させて装着者の背部から排泄物が外部に漏れ出すのをより防止することができる。
また、装着者の右脚の付け根部に第３吸収体部前部を当接し、装着者の左脚の付け根部に第４吸収体部前部を当接して装着者の左右脚部から排泄物が外部に漏れ出すのを防止することができる。
さらに、第３吸収体部と第４吸収体部が装着者の身体側に向かって効率良く起立させることができ、装着時に装着者の仙骨部に第１吸収体部を容易に密着させることができる。
【００１５】
請求項２記載の発明によれば、請求項１記載の発明による効果に加えて、第３吸収体部を、第１吸収体部に近接する略逆三角形状に形成された第３吸収体部後部と、第４吸収体部に近接する略長方形状に形成された第３吸収体部前部で形成し、第４吸収体部を、第１吸収体部に近接する略逆三角形状に形成された第４吸収体部後部と、第３吸収体部に近接する略長方形状に形成された第４吸収体部前部で形成しているので、装着者の右臀部の変形に第３吸収体部をより追従して変形させ、装着者の左臀部の変形に第４吸収体部をより追従して変形させることができる。
【００１６】
【００１７】
【００１８】
【図面の簡単な説明】
【００１９】
【図１】パンツタイプ使い捨ておむつの斜視図である。
【図２】パンツタイプ使い捨ておむつを展開した内面平面図である。
【図３】パンツタイプ使い捨ておむつを展開した外面平面図である。
【図４】図２の３−３断面図である。
【図５】図２の４−４断面図である。
【図６】図２の５−５断面図である。
【図７】第１実施形態の吸収体を展開した内面平面図であり、吸収体に設けられた区画線を説明する説明図である。
【図８】第１実施形態の吸収体を備えるパンツタイプ使い捨ておむつを装着した装着者の股間部の背面図である。
【図９】第１実施形態の吸収体の吸収体右臀部と吸収体左臀部の固定方法を説明する説明図である。
【図１０】第２実施形態の吸収体を展開した内面平面図であり、吸収体に設けられた区画線を説明する説明図である。
【図１１】第２実施形態の吸収体を備えるパンツタイプ使い捨ておむつを装着した装着者の股間部の背面図である。
【図１２】第２実施形態の吸収体の吸収体右臀部と吸収体左臀部の固定方法を説明する説明図である。
【発明を実施するための形態】
【００２０】
本発明の内装体の身体面に設けた区間線によって吸収要素の吸収体を区画して、パンツタイプ使い捨ておむつの装着時した場合に、装着者の背側部からの排泄物の外部への漏れ出しを防止した構造の理解を容易にするために、先ずパンツタイプ使い捨ておむつ１００について添付図面を参照して説明する。
図１に示すように、パンツタイプ使い捨ておむつ１００は、製品の外面をなす外装体１２と、外装体１２の内面に貼り付けられた内装体２００とから形成されている。
【００２１】
＜内装体＞
図２に示すように、内装体２００は、平面視において長方形に形成されているが、任意の形状にすることもできる。なお、本明細書において「前後方向」とは、腹側と背側を結ぶ方向を言い、「幅方向」とは、前後方向と直交する方向を言い、「上下方向」とは、パンツタイプ使い捨ておむつ１００の装着状態において胴回り方向と直交する方向を言うものとする。
【００２２】
図４，５に示すように、内装体２００は、身体側となる表面シート３０と、液不透過性シート１１と、これらの間に介在された吸収要素５０とを備えている。また、表面シート３０を透過した液を速やかに吸収要素５０へ移行させるために、表面シート３０と吸収要素５０との間には、中間シート４０が設けられ、内装体２００の両脇に排泄物が漏れるのを防止するために、内装体２００の両側には、身体側に起立する立体ギャザー６０が設けられている。なお、図４，５等の点模様部分は各構成部材を固定する固定部分を示しており、ホットメルト接着剤などのベタ、ビード、カーテン、サミットまたはスパイラル塗布などにより形成されるものである。
【００２３】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法である。
【００２４】
（中間シート）
中間シート４０は、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。なお、目付けとは、次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。また、中間シート４０は、必須の部材ではなく省略する事もできる。
【００２５】
（液不透過性シート）
液不透過性シート１１は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて固定した積層シートなどを例示することができる。液不透過性シート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、液不透過性シート１１として用いることができる。
【００２６】
（立体ギャザー）
立体ギャザー６０は、内装体２００の前後方向長さに等しい長さを有する帯状のギャザーシート６２を幅方向に折り返して二つに折り重して、二つに折りにしたギャザーシート６２の間に折り返し部分から弾性伸縮シート１１の幅方向の両側部まで延在する防水シート６４を設け、折り返し部分及びその近傍のシート間に、細長状の弾性伸縮部材６３を長手方向に沿って伸長状態で、幅方向に間隔をあけて複数本固定してなるものである。立体ギャザー６０のうち幅方向において折り返し部分と反対側の端部は内装体２００の側縁部の裏面に固定された取付部分６５とされ、この取付部分６５以外の部分は取付部分６５から突出する突出部分６６とされている。なお、立体ギャザー６０の折り返しの形状等は、特に制限はなく他の折り返し形状にすることもできる。
【００２７】
ギャザーシート６２は、スパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、ギャザーシート６２は、特に制限はなく他の不織布を使用することもできる。
【００２８】
立体ギャザー６０の自由部分に設けられる弾性伸縮部材６３の本数は２〜６本が好ましく、３〜５本がより好ましい。配置間隔は３〜１０ｍｍが適当である。このように構成すると、弾性伸縮部材６３を配置した範囲で肌に対して面で当たりやすくなる。先端側だけでなく付け根側にも弾性伸縮部材６３を配置しても良い。
【００２９】
防水シート６４は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて固定した積層シートなどを例示することができる。なお、防水シート６４の幅方向の内側部は、液不透過性シート１１の幅方向の両側部にホットメルト接着剤等で固定されている。
【００３０】
（吸収要素）
吸収要素５０は、吸収体５６と、吸収体５６を包む包装シート５８とから形成されている。
【００３１】
（第１実施形態の吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００３２】
図７に示すように、吸収体５６は、装着者にパンツタイプ使い捨ておむつ１００を装着した場合に、装着者の仙骨部に位置する略逆三角形状に形成された吸収体仙骨部（請求項の「第１吸収体部」）７０と、装着者の股間部における前後方向の前側部と腹部に位置する略長方形状に形成された吸収体腹側部（請求項の「第２吸収体部」）７１と、吸収体仙骨部７０と吸収体腹側部７１の間に形成された装着者の右臀部に位置する吸収体右臀部（請求項の「第３吸収体部」）７２と、吸収体仙骨部７０と吸収体腹側部７１の間に形成された装着者の左臀部に位置する吸収体左臀部（請求項の「第４吸収体部」）７３に区画されている。また、吸収体腹側部７１と吸収体右臀部７２の幅方向の外側部及び吸収体腹側部７１と吸収体右臀部７２の幅方向の外側部にはそれぞれ略円弧状の切欠き部５７が設けられてくびれ部が形成されている。
【００３３】
略逆三角形状に形成された吸収体仙骨部７０の底辺は、吸収体５６の前後方向における背側端部に位置し、図８に示すように、吸収体仙骨部７０の頂点は、装着者にパンツタイプ使い捨ておむつ１００を装着した場合に、背面視において装着者の尾骨に位置するように、吸収体５６の幅方向の中心部であって、且つ、吸収体５６における外装体１２を前後方向に４分割する第１仮想線５９Ａの近傍に位置している。また、吸収体仙骨部７０は、包装シート５８で包まれ、さらに包装シート５８の外側から表面シート３０に包まれ、表面シート３０の反身体面は、外装体１２の身体面に固定されている。なお、外装体１２に表面シート３０を確実に固定するために、表面シート３０の反身体面における均一に分散された３０％以上の部位を固定するのが好適である。
【００３４】
略長方形状に形成された吸収体腹側部７１の前後方向における腹側の辺は、吸収体５６の前後方向における腹側端部に位置し、吸収体腹側部７１の前後方向における背側の辺は、装着者にパンツタイプ使い捨ておむつ１００を装着した場合に、装着者の股間部よりも背側に位置するように、吸収体５６における外装体１２を前後方向に４分割する第２仮想線５９Ｂの近傍に位置している。また、吸収体腹側部７１は、吸収体右臀部７２と吸収体左臀部７３と共に包装シート５８で包まれ、さらに包装シート５８の外側から表面シート３０に包まれ、表面シート３０における吸収体腹側部７１に対向する部位の反身体面は、外装体１２の身体面に固定されている。なお、外装体１２に表面シート３０を確実に固定するために、表面シート３０の反身体面における均一に分散された３０％以上の部位を固定するのが好適である。また、吸収体５６における外装体１２を前後方向に４分割する第３仮想線５９Ｃは、吸収体腹側部７１の切欠き部５７よりも腹側に位置する。
【００３５】
吸収体右臀部７２は、吸収体仙骨部７０の幅方向の側部に隣接する略逆三角形状に形成された右臀部後部（請求項の「第３吸収体部後部」）７２Ａと、右臀部後部７２Ａと吸収体腹側部７１の間に位置する略長方形状の右臀部前部７２Ｂから形成されている。また、吸収体右臀部７２は、吸収体腹側部７１と吸収体左臀部７３と共に包装シート５８で包まれ、さらに包装シート５８の外側から表面シート３０に包まれている。図９に示すように、表面シート３０における右臀部後部７２Ａに対向する部位の反身体面は、外装体１２の身体面に固定されていない。表面シート３０における右臀部前部（請求項の「第３吸収体部前部」）７２Ｂに対向する部位の反身体面における右臀部前部７２Ｂを幅方向に３等分する第１仮想線８１Ａと第２仮想線８１Ｂで区画される中央領域８２Ａは、外装体１２の身体面に固定され、中央領域８２Ａの外側に隣接する右側領域８２Ｂと中央領域８２Ａの内側に隣接する左側領域８２Ｃは、外装体１２の身体面に固定されていない。また、中央領域８２Ａを外装体１２の身体面に非固定にすることもできる。なお、右臀部後部７２Ａと右臀部前部７２Ｂの幅方向の内側部に沿って、太さが４７０〜１２４０ｄｔｅｘで、固定時の伸長率が１５０〜３５０％の細長状の弾性伸縮部材を設けることもできる。
【００３６】
吸収体左臀部７３は、吸収体仙骨部７０の幅方向の側部に隣接する略逆三角形状に形成された左臀部後部（請求項の「第４吸収体部後部」）７３Ａと、左臀部後部７３Ａと吸収体腹側部７１の間に位置する略長方形状の左臀部前部７３Ｂから形成されている。また、吸収体左臀部７３は、吸収体腹側部７１と吸収体右臀部７２と共に包装シート５８で包まれ、さらに包装シート５８の外側から表面シート３０に包まれている。図９に示すように、表面シート３０における左臀部後部７３Ａに対向する部位の反身体面は、外装体１２の身体面に固定されていない。表面シート３０における左臀部前部（請求項の「第４吸収体部前部」）７３Ｂに対向する部位の反身体面における左臀部前部７３Ｂを幅方向に３等分する第１仮想線８３Ａと第２仮想線８３Ｂで区画される中央領域８４Ａは、外装体１２の身体面に固定され、中央領域８４Ａの外側に隣接する左側領域８４Ｂと中央領域８４Ａの内側に隣接する右側領域８２Ｃは、外装体１２の身体面に固定されていない。また、中央領域８４Ａを外装体１２の身体面に非固定にすることもできる。なお、左臀部後部７３Ａと左臀部前部７３Ｂの幅方向の内側部に沿って、太さが４７０〜１２４０ｄｔｅｘで、固定時の伸長率が１５０〜３５０％の細長状の弾性伸縮部材を設けることもできる。所定の伸長率を有する細長状の弾性伸縮部材を設けることもできる。
【００３７】
吸収体仙骨部７０と吸収体右臀部７２の
右臀部後部７２Ａは、吸収体仙骨部７０の底辺の幅方向の一側から頂点に向かって右下がりに延在する区画線（請求項の「第１区画線」）７５によって区画され、吸収体仙骨部７０と吸収体左臀部７３の左臀部後部７３Ａは、吸収体仙骨部７０の底辺の幅方向の他側から頂点に向かって左下がりに延在する区画線（請求項の「第２区画線」）７６によって区画され、吸収体右臀部７２の右臀部前部７２Ｂと吸収体左臀部７３の左臀部前部７３Ｂは、吸収体仙骨部７０の頂部から吸収体腹側部７１の背側の辺に向かって真っ直ぐ延在する区画線（請求項の「第３区画線」）７７によって区画されている。なお、区画線７７は、吸収体仙骨部７０の頂部から吸収体５６における外装体１２における前後方向の中心である第２仮想線５９Ｂを超えて延在するのが好適である。
【００３８】
区画線７５は、吸収体仙骨部７０と吸収体右臀部７２の右臀部後部７２Ａを分割して別体とする所定の間隔を有するスリット線とし、区画線７６は、吸収体仙骨部７０と吸収体左臀部７３の左臀部後部７３Ａを分割して別体とする所定の間隔を有するスリット線とし、区画線７７は、吸収体右臀部７２の右臀部前部７２Ｂと吸収体左臀部７３の左臀部前部７３Ｂを分割して別体とする所定の間隔を有するスリット線とするのが好適である、これにより、装着者にパンツタイプ使い捨ておむつ１００を装着した場合に、装着者の仙骨部に吸収体仙骨部７０が密着し、装着者の動きに伴って吸収体右臀部７２が容易に起立することによって装着者の右臀部に吸収体右臀部７２が密着し、装着者の動きに伴って吸収体左臀部７３が容易に起立することによって装着者の左臀部に吸収体左臀部７３が密着して、装着者の排泄物のパンツタイプ使い捨ておむつ１００の背側部分からの外部への漏れ出しを防止することができる。また、装着者の腹部には、吸収体腹側部７１が密着して、装着者の排泄物のパンツタイプ使い捨ておむつ１００の腹側部分からの外部への漏れ出しを防止することができる。なお、区画線７５〜７７の幅は、５〜２０ｍｍが好ましい。区画線７５等の幅が５ｍｍ未満の場合は、製造時に区画線が潰れる虞があり、区画線７５等の幅が２０ｍｍ超の場合には、排泄物が区画線７５等内に滞留する虞がある。また、区画線７５等の幅を身体面側と反身体面側で相違させることもできる。
【００３９】
また、区画線７５等は、スリット線に制限されることはなく、エンボス加工等や区画線７５に対向する部位の目付け量を少なくして形成された区画線７５上で容易に折り込むことができる折込み線にすることもできる。これにより、外装体１２の身体面に固定された吸収体仙骨部７０によって拘束されることなく吸収体右臀部７２の右臀部後部７２Ａ等が装着者の右臀部に向かって起立させることができ、また、製造コストを低減することもできる。
【００４０】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００４１】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００４２】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。なお、ゲル強度とは、次のようにして測定されるものである。人工尿（尿素：２０ｗｔ％、食塩：８ｗｔ％、塩化カルシウム二水和物：０．３ｗｔ％、酸化マグネシウム七水和物：０．８ｗｔ％、純水：７０．０１ｗｔ％）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００４３】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００４４】
（第２実施形態の吸収体）
次に、第２実施形態の吸収体５６について説明する。なお、第１実施形態の吸収体５６と同一部品には、同一符号を付して説明を省略する。
【００４５】
図１０に示すように、吸収体５６は、装着者にパンツタイプ使い捨ておむつ１００を装着した場合に、装着者の仙骨部に位置する略Ｗ字形状に形成された吸収体仙骨部７０と、装着者の股間部における前後方向の前側部と腹部に位置する略長方形状に形成された吸収体腹側部７１と、吸収体仙骨部７０と吸収体腹側部７１の間に形成された装着者の右臀部に位置する吸収体右臀部７２と、吸収体仙骨部７０と吸収体腹側部７１の間に形成された装着者の左臀部に位置する吸収体左臀部７３と、吸収体右臀部７２と吸収体左臀部７３の間に形成された吸収体中央臀部７４に区画されている。
【００４６】
略Ｗ字形状に形成された吸収体仙骨部７０の底辺は、吸収体５６の前後方向における背側端部に位置し、図１１に示すように、吸収体仙骨部７０の２つの頂点は、装着者にパンツタイプ使い捨ておむつ１００を装着した場合に、背面視において装着者の仙骨における中心部から尾骨に偏倚した部位に位置するように、吸収体５６の幅方向の左右脚部の各内側部であって、且つ、吸収体５６の背部側部と吸収体５６における外装体１２を前後方向に４分割する第１仮想線５９Ａの中心部に偏倚した部位に位置している。また、吸収体仙骨部７０は、包装シート５８で包まれ、さらに包装シート５８の外側から表面シート３０に包まれ、表面シート３０の反身体面は、外装体１２の身体面に固定されている。
【００４７】
略長方形状に形成された吸収体腹側部７１の前後方向における腹側の辺は、吸収体５６の前後方向における腹側端部に位置し、吸収体腹側部７１の前後方向における背側の辺は、装着者にパンツタイプ使い捨ておむつ１００を装着した場合に、装着者の股間部よりも背側に位置するように、吸収体５６における外装体１２を前後方向に４分割する第２仮想線５９Ｂの近傍に位置している。また、吸収体腹側部７１は、吸収体右臀部７２と吸収体左臀部７３と共に包装シート５８で包まれ、さらに包装シート５８の外側から表面シート３０に包まれ、表面シート３０における吸収体腹側部７１に対向する部位の反身体面は、外装体１２の身体面に固定されている。
【００４８】
吸収体右臀部７２は、吸収体仙骨部７０の幅方向の側部に隣接する略逆三角形状に形成された右臀部後部７２Ａと、右臀部後部７２Ａと吸収体腹側部７１の間に位置する略長方形状の右臀部前部７２Ｂから形成されている。また、吸収体右臀部７２は、吸収体腹側部７１と吸収体左臀部７３と共に包装シート５８で包まれ、さらに包装シート５８の外側から表面シート３０に包まれている。図１２に示すように、表面シート３０における右臀部後部７２Ａに対向する部位の反身体面は、外装体１２の身体面に固定されていない。表面シート３０における右臀部前部７２Ｂに対向する部位の反身体面における右臀部前部７２Ｂを幅方向に３等分する第１仮想線８１Ａと第２仮想線８１Ｂで区画される中央領域８２Ａは、外装体１２の身体面に固定され、中央領域８２Ａの外側に隣接する右側領域８２Ｂと中央領域８２Ａの内側に隣接する左側領域８２Ｃは、外装体１２の身体面に固定されていない。また、中央領域８２Ａを外装体１２の身体面に非固定にすることもできる。
【００４９】
吸収体左臀部７３は、吸収体仙骨部７０の幅方向の側部に隣接する略逆三角形状に形成された左臀部後部７３Ａと、左臀部後部７３Ａと吸収体腹側部７１の間に位置する略長方形状の左臀部前部７３Ｂから形成されている。また、吸収体左臀部７３は、吸収体腹側部７１と吸収体右臀部７２と共に包装シート５８で包まれ、さらに包装シート５８の外側から表面シート３０に包まれている。図１２に示すように、表面シート３０における左臀部後部７３Ａに対向する部位の反身体面は、外装体１２の身体面に固定されていない。表面シート３０における左臀部前部７３Ｂに対向する部位の反身体面における左臀部前部７３Ｂを幅方向に３等分する第１仮想線８３Ａと第２仮想線８３Ｂで区画される中央領域８４Ａは、外装体１２の身体面に固定され、中央領域８４Ａの外側に隣接する左側領域８４Ｂと中央領域８４Ａの内側に隣接する右側領域８２Ｃは、外装体１２の身体面に固定されていない。また、中央領域８４Ａを外装体１２の身体面に非固定にすることもできる。
【００５０】
吸収体中央臀部７４は、吸収体仙骨部７０の幅方向の中心部に隣接する略三角形状に形成された中央臀部後部７４Ａと、吸収体右臀部７２の右臀部前部７２Ｂと吸収体左臀部７３の左臀部前部７３Ｂの間に位置する略長方形状の中央臀部前部７４Ｂから形成されている。また、吸収体中央臀部７４は、吸収体腹側部７１、吸収体右臀部７２及び吸収体左臀部７３と共に包装シート５８で包まれ、さらに包装シート５８の外側から表面シート３０に包まれ、表面シート３０における吸収体中央臀部７４に対向する部位の反身体面は、外装体１２の身体面に固定されている。
【００５１】
吸収体仙骨部７０と吸収体右臀部７２の右臀部後部７２Ａは、吸収体仙骨部７０の底辺の幅方向の一側から頂点に向かって右下がりに延在する区画線７５によって区画され、吸収体仙骨部７０と吸収体左臀部７３の左臀部後部７３Ａは、吸収体仙骨部７０の底辺の幅方向の他側から頂点に向かって左下がりに延在する区画線７６によって区画され、吸収体仙骨部７０と吸収体中央臀部７４の中央臀部後部７４Ａは、吸収体仙骨部７０の一側の頂部から右上がりに延在した後に右下がりに延在して吸収体仙骨部７０の他側の頂部に至っている区画線７８によって区画され、吸収体右臀部７２の右臀部前部７２Ｂと吸収体中央臀部７４の中央臀部前部７４Ｂの幅方向の一側は、吸収体仙骨部７０の一側の頂部から吸収体腹側部７１の背側の辺に向かって真っ直ぐ延在する区画線７９によって区画され、吸収体左臀部７３の左臀部前部７３Ｂと吸収体中央臀部７４の中央臀部前部７４Ｂの幅方向の他側は、吸収体仙骨部７０の他側の頂部から吸収体腹側部７１の背側の辺に向かって真っ直ぐ延在する区画線８０によって区画されている。
【００５２】
区画線７５は、吸収体仙骨部７０と吸収体右臀部７２の右臀部後部７２Ａを分割して別体とする所定の間隔を有するスリット線とし、区画線７６は、吸収体仙骨部７０と吸収体左臀部７３の左臀部後部７３Ａを分割して別体とする所定の間隔を有するスリット線とし、区画線７８は、吸収体仙骨部７０と吸収体中央臀部７４の中央臀部後部７４Ａを分割して別体とする所定の間隔を有するスリット線とし、区画線７９は、吸収体右臀部７２の右臀部前部７２Ｂと吸収体中央臀部７４の中央臀部前部７４Ｂの幅方向の一側を分割して別体とする所定の間隔を有するスリット線とし、区画線８０は、吸収体左臀部７３の左臀部前部７３Ｂと吸収体中央臀部７４の中央臀部前部７４Ｂの幅方向の他側を分割して別体とする所定の間隔を有するスリット線とするのが好適である、これにより、装着者にパンツタイプ使い捨ておむつ１００を装着した場合に、装着者の仙骨部に吸収体仙骨部７０が密着し、装着者の股間部の背側部位に吸収体中央臀部７４が密着し、装着者の動きに伴って吸収体右臀部７２が容易に起立することによって装着者の右臀部に吸収体右臀部７２が密着し、装着者の動きに伴って吸収体左臀部７３が容易に起立することによって装着者の左臀部に吸収体左臀部７３が密着して、装着者の排泄物のパンツタイプ使い捨ておむつ１００の背側部分からの外部への漏れ出しを防止することができる。また、装着者の腹部には、吸収体腹側部７１が密着して、装着者の排泄物のパンツタイプ使い捨ておむつ１００の腹側部分からの外部への漏れ出しを防止することができる。なお、区画線７５〜８０の幅は、５〜２０ｍｍが好ましい。区画線７５等の幅が５ｍｍ未満の場合は、製造時に区画線が潰れる虞があり、区画線７５等の幅が２０ｍｍ超の場合には、排泄物が区画線７５等内に滞留する虞がある。また、区画線７５等の幅を身体面側と反身体面側で相違させることもできる。
【００５３】
（包装シート）
包装シート５８は、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００５４】
＜外装体＞
外装体１２は、図３に示すように、股間部から腹側に延在する前身頃Ｆを構成する部分と、股間部から背側に延在する後身頃Ｂを構成する部分とを有し、これら前身頃Ｆの両側部と後身頃Ｂの両側部とを固定することのよって、図１に示すように、装着者の胴を通すためのウエスト開口部ＷＯと、脚を通すための左右一対の脚開口部ＬＯが形成される。なお、外装体１２は、特に制限はなく前身頃Ｆを構成する部分と後身頃Ｂを構成する部分を別体にすることもできる。
【００５５】
図５，６に示すように、外装体１２は、二枚の第１シート材１２Ｓと第２シート１２Ｈを固定して形成されている。内側に位置する第２シート材１２Ｈはウエスト開口部ＷＯの縁までしか延在していないが、外側に位置する第１シート材１２Ｓは第２シート材１２Ｈのウエスト側の縁を回り込んでその内側に折り返されている。また、第１シート材１２Ｓと第２シート１２Ｈの間には、ウエスト縁部Ｗに配置される細長状のウエスト縁部弾性伸縮部材１７と、ウエスト下部Ｕに配置される細長状のウエスト下部弾性伸縮部材１５と、前身頃Ｆ及び後身頃Ｂの中間部Ｌに配置される細長状の中間部弾性伸縮部材１６が固定されている。
【００５６】
ウエスト縁部弾性伸縮部材１７は、ウエスト開口部ＷＯの近傍部位に、幅方向全体にわたり連続するように、上下方向に所定の間隔を隔てて、かつ所定の伸長率で幅方向に沿って伸長された状態で固定されている。ウエスト縁部弾性伸縮部材１７は、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸長率１５０〜４００％、特に２２０〜３２０％程度で固定するのが好ましい。なお、ウエスト縁部弾性伸縮部材１７における内装体２００側に配置された数本のウエスト縁部弾性伸縮部材１７を内装体２００と重ねて配置することもできる。
【００５７】
ウエスト下部弾性伸縮部材１５は、内装体２００と重なる幅方向中央部を除いて、幅方向両側の各部位に、幅方向全体にわたり連続するように、上下方向に所定の間隔を隔てて、かつ所定の伸長率で幅方向に沿って伸長された状態で固定されている。また、ウエスト下部弾性伸縮部材１５としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率２００〜３５０％、特に２４０〜３００％程度で固定するのが好ましい。
【００５８】
中間部弾性伸縮部材１６は、内装体２００と重なる幅方向中央部を除いて、その幅方向両側の各部位に、幅方向全体にわたり連続するように、上下方向に所定の間隔を隔てて、かつ所定の伸長率で幅方向に沿って伸長された状態で固定されている。また、中間部弾性伸縮部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸長率１５０〜３００％、特に１８０〜２６０％で固定するのが好ましい。
【００５９】
＜明細書中の用語の説明＞
明細書中で以下の用語が使用される場合、明細書中に特に記載が無い限り、以下の意味を有するものである。
・「伸長率」は、自然長を１００％としたときの値を意味する。
・「人口尿」は、尿素：２０ｗｔ％、食塩：８ｗｔ％、塩化カルシウム二水和物：０．３ｗｔ％、酸化マグネシウム七水和物：０．８ｗｔ％、及び純水：７０．０１ｗｔ％を混合したものであり、特に記載の無い限り、温度４０度で使用される。
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸＭＥ−５００）でゲル強度を測定する。
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
・「吸水量」は、ＪＩＳ  Ｋ７２２３−１９９６「高吸水性樹脂の吸水量試験方法」によって測定する。
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・各部の寸法は、特に記載が無い限り、自然長状態ではなく展開状態における寸法を意味し、展開状態とは、収縮や弛み無く平坦に展開した状態を意味する。
・「仙骨」とは、脊椎の下部に位置する大きな逆略三角形の骨で、骨盤の上方後部にあり、くさびのように寛骨に差し込まれている骨である。仙骨の上部は、腰椎の最下部と結合しており、仙骨の下部は、尾骨と結合している。
【産業上の利用可能性】
【００６０】
本発明は、パンツタイプ使い捨ておむつ、テープタイプ使い捨ておむつ等の吸収体に使用できるものである。
【符号の説明】
【００６１】
１１      液不透過性シート
１２      外装体
３０      表面シート
５６      吸収体
５９Ａ    第１仮想線
５９Ｂ    第２仮想線
７０      吸収体仙骨部（第１吸収体部）
７１      吸収体腹側部（第２吸収体部）
７２      吸収体右臀部（第３吸収体部）
７２Ａ    右臀部後部（第３吸収体部後部）
７２Ｂ    右臀部前部（第３吸収体部前部）
７３      吸収体左臀部（第４吸収体部）
７３Ａ    左臀部後部（第４吸収体部後部）
７３Ｂ    左臀部前部（第４吸収体部前部）
７５      区間線（第１区画線）
７６      区画線（第２区画線）
７７      区画線（第３区画線）
７８      区間線
７９      区画線
８０      区画線
２００    内装体
【図１】
0006551841.tif 000002
【図２】
0006551841.tif 000003
【図３】
0006551841.tif 000004
【図４】
0006551841.tif 000005
【図５】
0006551841.tif 000006
【図６】
0006551841.tif 000007
【図７】
0006551841.tif 000008
【図８】
0006551841.tif 000009
【図９】
0006551841.tif 000010
【図１０】
0006551841.tif 000011
【図１１】
0006551841.tif 000012
【図１２】
0006551841.tif 000013